(57)【要約】【課題】単一方向に収縮するリール定位棒構造の提供。【解決手段】単一方向に収縮するリール定位棒構造は、回旋ばねと滑座を利用し、リード線が単一方向に収縮する機能を有する構造である。単一方向のリールの「定位棒構造」設計により、リールは引合後、定位して、再度、引合した後、復位することができる。簡単に言えば、本考案のリールの定位メカニズムにより、リード線が一回転すると、一次定位が可能である。よって、リード線を引く際、多段式定位制御効果があり、引く距離が精確に制御できる以外に、リード線の復位も再度リード線を引けば、双方向の同時自動巻合復位が可能で、公知の鋼球による定位式のリール構造を改善する。【選択図】図２
0003139504.tif 000002
【実用新案登録請求の範囲】
【請求項１】
単一方向に収縮するリールの定位棒構造であって、本構造は、上蓋と、回旋ばねと、転線盤と、リード線と、下蓋と、前記下蓋内の定位棒構造と、からなり、その特徴は、
前記リード線は、前記転線盤の上下位置外縁面に環繞分置され、両者は、相反する緩む、締める状態を呈し、前記上位置は引き伸ばしリード線で、前記下位置は回転リード線で、前記定位棒構造により定位され、
前記定位棒構造は、前記下蓋内縁外側に配置されて、前記転線盤底部に設けられるトラック槽に対応し、主に、定位棒と定位片からなり、前記定位片は、前記定位棒上方を被覆し、両側は、鞘により固定され、且つ、前記定位片は中央に開設された枢孔により、定位棒枢軸を枢合し、前記定位棒が、前記定位片により定位枢合され、前記定位片が露出する棒体部分の前端は、前記転線盤底部のトラック槽に対応する凸部を有し、前記トラック槽の回転により、嵌合と脱離を順に交替で作動させることを特徴とする単一方向に収縮するリールの定位棒構造。  
【考案の詳細な説明】
【技術分野】
【０００１】
本考案は単一方向に収縮するリールの定位棒構造に関するものであって、公知の鋼球による定位構造のリールの欠点を改善し、製品が更に耐久性を有し、騒音が少なく、操作性に優れ、定位が精確、確実である等の四大重要功能を有する構造に関する。
【背景技術】
【０００２】
公知の鋼球による定位構造が、図５、及び、図６で示され、リール（A１０）の全体構造は、前蓋（A１）、回旋ばね（A２）、滑座（A３）、伝送線（A４）、定位鋼球（A５）、及び、後蓋（A６）等の素子から構成される。リール（A1０）の基礎理念は、滑座（A３）内に設置された回旋ばねを、伝送線（A４）を復位させる原動力とする。しかし、定位構造は、鋼球（A５）により滑動式で定位し、鋼球（A５）の定位機能に適合するため、滑座（A３）の底部は、機能性のトラック（A３１）を開設し、鋼球（A５）が、トラック（A３１）内で、回転、脱離、嵌合できるようになっている。
【考案の開示】
【考案が解決しようとする課題】
【０００３】
本考案の目的は、公知の鋼球による定位構造のリールの欠点を改善し、製品が更に耐久性を有し、騒音が少なく、操作性に優れ、定位が精確、確実である等の四大重要功能を有する単一方向に収縮するリールの定位棒構造を提供することにある。
【課題を解決するための手段】
【０００４】
本考案の単一方向に収縮するリールの定位棒構造は、主体構造が、上蓋、回旋ばね、転線盤、リード線、下蓋、及び、下蓋内の定位棒構造からなる。回旋ばね中心端は下蓋内部の中心軸の嵌槽と嵌接され、回旋ばねは、軸により単一端の固定状態を形成する。次に、回旋ばねのもう一端は、縁により転線盤の嵌槽内に固定され、転線盤が正方向、或いは、反対方向に旋転するとき、内部の回旋ばねが、閉める、緩むの二種状態を形成する。
【考案の効果】
【０００５】
本考案の単一方向に収縮するリールの定位棒構造は、更に耐久性を有し、騒音が少なく、操作性に優れ、定位が精確、確実である等の四大重要功能を有する。
【考案を実施するための最良の形態】
【０００６】
図１と図２を参照すると、本考案の構造は、上蓋１、回旋ばね２、転線盤３、リード線４、下蓋５、及び、下蓋５内の定位棒構造６からなる。回旋ばね２中心端２１は下蓋５内部の中心軸５１の嵌槽５２と嵌接される。回旋ばね２の外端は、縁２２により、転線盤３の嵌槽３１内に固定される。転線盤３が正方向、或いは、反対方向に旋転するとき、内部の回旋ばね５が、締める、緩むの二種状態を形成し、回旋ばね２がきつい状態は、リールに復位の動力源を提供する。  
【０００７】
次に、転線盤３は、壁に沿って、嵌片３２を設置し、リード線４は、開設された挟口３３により転線盤３の下位置に導引され、つまり、転線盤３を転回点とし、リード線４は、転線盤３により、二段のリード線に分けると共に、転線盤３の上下位置外縁を囲繞し、具体的には、上位置は引き伸ばすリード線４で、下位置が回転リード線４である。
【０００８】
上位置の引き伸ばすリード線４と下位置の回転リード線４の両者は、引き伸ばすリード線４に引合する時、転線盤３を作用させて、単一の固定方向で回転し、下位置の回転リード線４は、転線盤３に伴って、正向きに回転し、同時に、緩む、締まる状態が現れて、上位置の引き伸ばしリード線４が引き出される巻き数と長さに対応する。引き伸ばしリード線４が元の位置に戻る場合、下位置の回転リード線４は、同様に、転線盤に伴って、反対方向に回転し、きつい状態になって、引き伸ばしリード線４が回収される巻き数と長さに対応する。これにより、回転リード線４は引き伸ばしリード線４の引合作用を全く受けない状態下で、引き伸ばしリード線端４１と回転リード線端４２は、それぞれ、必要とするジョイントやプラグに接続する。
【０００９】
本考案の特徴は、転線盤３と下蓋５内縁に設置された定位構造６が、互いに嵌合と脱離機能を有することである。図３で示されるように、定位構造６は、主に、定位棒６１と定位片６２からなる。定位片６２は、定位棒６１上方を被覆し、両側は、鞘６０により固定される。次に、定位片６２は中央に開設された枢孔６２１により、定位棒枢軸６１１を枢合し、定位棒６１が、定位片６２により定位枢合される構造を形成する。この他、定位片６２が露出する棒体部分の前端は、転線盤３底部のトラック槽３４に対応する凸部６１２を有する。
【００１０】
図４で示されるように、転線盤３の底部は、トラック槽３４を有し、定位棒６１はトラック槽３５の回転により、嵌合と脱離を順に交替で作動させる。よって、引き伸ばしリード線４が引き出される時、同時に、転線盤３で回転し、定位棒６１の回転で作動するトラック槽３４が、スウィング運動を形成し、このスウィング運動操作中、引き伸ばしリード線４を引き伸ばし、定位後、再度、引き伸ばしリード線４を引くと、定位棒６１が脱離する。また、定位機能において、同様に、引き伸ばしリード線４を引き伸ばし、定位後、引き伸ばしリード線４が完全に収縮される前、再度、引き伸ばしリード線４を引くと、定位棒６１が再度、固定される。よって、本考案は、操作上、一回の収縮と、段階的な多段定位の二種の使用制御模式を有する。
【図面の簡単な説明】
【００１１】
【図１】本考案の好ましい実施例の外観立体図である。
【図２】本考案の各素子の分解構造図である。
【図３】本考案の定位棒の分解構造図である（図２のA部分）。
【図４】本考案の定位棒構造とトラック槽の相関位置と実施動作図である。
【図５】公知の鋼球定位リールの分解構造図である。
【図６】公知の鋼球定位リールの滑座底部構造図である。
【符号の説明】
【００１２】
１        上蓋
２        回旋ばね
２１      中心端
２２      縁
３        転線盤
３１      嵌槽
３２      嵌片
３３      挟口
３４      トラック槽
４        リード線
４１      引き伸ばしリード線端
４２      回転リード線端
５        下蓋
５１      中心軸
５２      嵌槽
６        定位棒構造
６０      鞘
６１      定位棒
６１１    枢軸
６１２    凸部
６２      定位片
６２１    枢孔
【図１】
0003139504.tif 000003
【図２】
0003139504.tif 000004
【図３】
0003139504.tif 000005
【図４】
0003139504.tif 000006
【図５】
0003139504.tif 000007
【図６】
0003139504.tif 000008